(57)【要約】  【課題】  運搬に際して片手で縁に触れることなく持つことができる食器を提供することを課題とする。  【解決手段】  食器を内面全体が凹部を形成する容器本体と、前記容器本体の側面に固定され、親指により上方から保持することができる親指把持部とにより形成することで、運搬に際して、人差し指から中指の先端部分で食器の底面を支持し、親指は、容器本体の縁部を保持することに代えて、親指把持部を上方から保持することで片手で容器を持ち運ぶことができ、容器本体の縁部に触れることがない。【選択図】  図１
2007000174.tif 000002
【特許請求の範囲】
【請求項１】
内面全体が凹部を形成する容器本体と、
前記容器本体の側面に固定され、上方から親指により保持することができる親指把持部と、
前記容器本体の下面に設けられる高台と
を有する食器。
【請求項２】
前記親指把持部は、前記容器の側面に突出する突出部材と、突出部材の上方の設けられる前記親指を挿入することができる大きさを有する穴とにより形成される請求項１に記載の食器。
【請求項３】
前記容器本体の前記親指把持部と上下に重ならない開口縁部に、前記親指把持部の突出部材が収まる張り出し部を有する請求項２に記載の食器。
【請求項４】
前記親指把持部は、前記容器本体の外周に弛みをもって２箇所以上を固定された紐体により形成される請求項１に記載の食器。
【請求項５】
前記親指把持部は、前記容器の側面を一周するように設けられるドーナツ状の凸部である請求項１に記載の食器。
【発明の詳細な説明】
【技術分野】
【０００１】
本発明は、手で持って運ぶことが容易な食器に関する。
【背景技術】
【０００２】
盆を使わないで丼などの食器に料理を入れて運ぶ際、中指から薬指の先端部分を食器の高台に乗せて、親指で食器の縁を保持して運ぶことが一般的である。
【発明の開示】
【発明が解決しようとする課題】
【０００３】
このように運ぶと、親指が食器の縁を触ることなるが、食器の縁は飲食者が直接口を付ける場合もあり、また、親指が触った場所はわからないために、しばしば飲食者は親指が触れた場所に口を付けてしまい、大変不衛生である。また、これを避けるために食器の縁に指を掛けずに、両手で食器の側面を包むように持つこともできるが、両手が塞がってしまうために運搬の効率が悪くなり、また、熱い料理を食器に入れている場合には、運搬者は大変熱い思いをすることになる。
本発明はこのような問題に鑑み、運搬に際して片手で食器の縁に触れることなく持つことができる食器を提供することを課題とする。
【課題を解決するための手段】
【０００４】
上記課題を解決するために、本発明は次のような構成を有する。
請求項１に記載の発明は、内面全体が凹部を形成する容器本体と、前記容器本体の側面に固定され、親指により上方から保持することができる親指把持部と、前記容器本体の下面に設けられる高台とを有する食器である。
請求項２に記載の発明は、請求項１に記載の食器において、前記親指把持部を、前記容器の側面に突出する突出部材と、突出部材の上方の設けられる前記親指を挿入することができる大きさを有する穴とにより形成するものである。
請求項３に記載の発明は、請求項２に記載の食器において、前記容器本体の前記親指把持部と上下に重ならない開口縁部に、前記親指把持部の突出部材が収まる張り出し部を有するものである。
請求項４に記載の発明は、請求項１に記載の食器において、前記親指把持部を、前記容器本体の外周に弛みをもって２箇所以上を固定された紐体により形成するものである。
請求項５に記載の発明は、請求項１に記載の食器において、前記親指把持部を、前記容器の側面を一周するように設けられるドーナツ状の凸部としたものである。
【発明の効果】
【０００５】
請求項１に記載の発明は、側面に親指により上方から保持することができる親指把持部を有することで、親指は、容器本体の縁部を保持することに代えて、親指把持部を上方から保持することで片手で容器を持ち運ぶことができ、容器本体の縁部の衛生を保つことができる。また、下面を支持する指には、高台により熱が伝わりにくくなるとともに、親指は親指把持部により容器本体から離れたところで支持するために熱が伝わりにくくなるので、容器本体に熱い料理を入れても、運搬者は比較的熱さを感じることなく運搬作業をすることができる。
請求項２に記載の発明は、親指把持部を容器本体側面に突出する突出部材と突出部材の上方に設けられる親指を挿入することができる穴とにより形成することで、親指を穴に入れることでしっかりと固定することができ、容器本体を安定して持ち運ぶことができる。
請求項３に記載の発明は、容器本体の外縁に、前記親指把持部の突出部材が収まる張り出し部を設けたので、容器本体を重ねる際に、突出部材が張り出し部材に収まるように重ねることで、重ねた容器本体の高さを低くすることができる。また、張り出し部材は、突出部材と上下に重ならないので、上方に位置する容器本体の張り出し部材が、下方に位置する突出部材に当たらず、重なる際にこれらが互いに干渉することを避けることができる。
請求項４に記載の発明は、前記親指把持部を、前記容器本体の外周に弛みをもって２箇所以上を固定された紐体により形成することで、紐体の固定された部分間の上下位置が所定範囲内で動くので、手の大きさに応じて、親指の保持位置が柔軟に変わることになる。
請求項５に記載の発明は、前記親指把持部を、前記容器の側面を一周するように設けられるドーナツ状の凸部とすることで、どの側面方向からでも親指を掛けることができ、構造が単純になるので、洗いやすくなる。
【発明を実施するための最良の形態】
【０００６】
以下、本発明の実施形態について、図面を参照しながら説明する。
図１に、本実施形態に係る把持部付き食器Ｘの斜視図を示し、図２に図１のＡ−Ａ断面図を示す。把持部付き食器Ｘは陶器により形成され、容器本体１０、親指把持部２０とから構成される。
容器本体１０は、一般的な丼の形状と大きさを有するものであり、内面全体が凹部を形成し、底面の中央に円筒状の高台１０ａが一体に取り付けられている。また、容器本体の開口縁には、後述する突出部材２１が内部に納まるような張り出し部１０ｂが対向する位置に２箇所形成されている。
親指把持部２０は、容器本体１０の側面やや下方よりに、容器本体１０の中心を挟んで対向する位置に２つ設けられている。これらは、上方から見て、容器本体１０の張り出し部１０ｂに対して、ほぼ９０度回転した位置に形成される。親指把持部２０は、全体に丸みを帯びた逆三角錐形状の突出部材２１の上面から内部に至る穴２２を設けたものである。穴２２は想定される親指の先端が入る程度の大きさに形成されている。親指把持部２０は容器本体１０と一体に形成されている。
【０００７】
把持部付き食器Ｘは、このような構成を有することで、容器本体１０内に料理を入れて、人差し指から薬指の先端部分により高台１０ａの下面を支持するとともに、親指の先端を親指把持部２０の穴２２に上方から差し入れて保持することで、片手で把持部付き食器Ｘを持ち上げて、運ぶことができる。このように、運搬に際して把持部付き食器Ｘは容器本体１０の開口縁を持つ必要がないので衛生的であり、また、容器本体１０に熱い料理を入れても、高台１０ａと親指把持部２０は容器本体１０の側面ほどは熱くならないので、比較的熱さを感じることなく運搬することができる。
【０００８】
また、容器本体１０の開口縁には張り出し部１０ｂが形成されているので、把持部付き食器Ｘを重ねて収納する際に、親指把持部２０の突出部材２１が邪魔にならない。具体的には、図３に示すように、張り出し部１０の位置で切った縦断面図に示す把持部付き食器Ｘの上方に、想像線で示す把持部付き食器Ｘαを平面視９０度回転させて重ねる。すると、上方の把持部付き食器Ｘαの突出部材２１は、下方の把持部付き食器Ｘの張り出し部１０ｂ内に収まるので、突出部材２１が容器本体１０の外縁に引っ掛かって重なる高さが高くなることがなく、また、重なった状態で安定させることができる。なお、張り出し部１０ｂも容器本体１０の外周から外側へ突出することになるが、上方に位置するので、角度を調整したり、容器本体１０の開口の大きさを調整することにより上方の容器本体の張り出し部１０ｂを下方の容器の開口縁に引っ掛からないようにすることができる。即ち、図３に示すように、想像線で示す把持部付き食器Ｘβを想像線で示す把持部付き食器Ｘα上に重ねても把持部付き食器Ｘβの張り出し部１０ｂは把持部付き食器Ｘαには干渉しないようにすることができる。
【０００９】
なお、上記実施の形態では親指把持部２０を突出部材２１と穴２２とにより形成しているが、親指により上方から保持できれば種々の変形が可能である。例えば、図４の側面図に示すように、親指把持部２０として、容器本体１０の側面にリング２４を一体形成しておき、ここに紐２３を通して両端を結んで固定するようにするような形態も考えられる。この際、紐２３はある程度弛みを持たせておくことが望ましい。このような形状であっても親指の先端を紐２３の上方から内側に差し入れて紐２３を持つことで容器本体１０を支持することができる。
さらに、他の変形例として、図５の側面図に示すように、容器本体１０の側面を一周するように設けられるドーナツ状の凸部２５を容器本体と一体に形成するようにしてもよい。このようなドーナツ状の凸部２５は側面のどの方向からも凸部２５の上面に親指を掛けることができるので、容器の置き方を問わず容易に容器を持ち上げることができる。また、形状が単純なので、汚れが付きにくく、汚れても簡単に落とすことができる。
また、上記実施の形態では容器本体を構成する食器として丼を例示しているが、皿、鉢、椀など種々の食器に使用することができる。
【図面の簡単な説明】
【００１０】
【図１】実施形態に係る把持部付き食器の斜視図である。
【図２】図１のＡ−Ａ断面図である。
【図３】把持部付き食器を重ねた状態を示す張り出し部における縦断面図である。
【図４】把持部付き食器の他の例を示す側面図である。
【図５】把持部付き食器のさらに他の例を示す側面図である。
【符号の説明】
【００１１】
Ｘ      把持部付き食器
１０    容器本体
１０ａ  高台
１０ｂ  張り出し部
２０    親指把持部
２１    突出部材
２２    穴
２３    紐
２４    リング
２５    凸部
【図１】
2007000174.tif 000003
【図２】
2007000174.tif 000004
【図３】
2007000174.tif 000005
【図４】
2007000174.tif 000006
【図５】
2007000174.tif 000007